(57)【要約】【課題】  従来技術においては、特殊な圧着工具がないと作業ができないという問題があった。【解決手段】  ケーブル９を圧着して接続する圧着部３を備えた圧着端子において、端子基板部２と、圧着部３とからなり、該圧着部３は丸形筒状または多角形筒状に形成し、ケーブル挿入方向と同方向に前記筒状の合わせ目に間隙４を設け、前記筒状を覆うようにつる巻バネ５を設け、該つる巻バネ５の収縮力により筒状の圧着部３を圧潰することによりケーブル９と圧着端子１を圧着係止するようにしたケーブル用圧着端子。【選択図】図１
2007287447.tif 000002
【特許請求の範囲】
【請求項１】
ケーブルを圧着して接続する圧着部を備えた圧着端子において、端子基板部と、圧着部とからなり、該圧着部は丸形筒状または多角形筒状に形成し、ケーブル挿入方向と同方向に前記筒状の合わせ目に間隙を設け、前記筒状の圧着部を覆うようにつる巻バネを設け、該つる巻バネの収縮力により圧着部の筒状を圧潰することによりケーブルと圧着端子を圧着係止するようにしたことを特徴とするケーブル用圧着端子。
【請求項２】
ケーブルを圧着して接続する圧着部を備えた圧着端子において、端子基板部と、圧着部とからなり、該圧着部の形状は丸形筒状または多角形筒状を有し、該圧着部の筒状を覆うように設けたつる巻バネに換えて、板バネを丸めて円筒状にしたものを圧着部に巻回することによりケーブルと圧着端子を圧着係止できるようにしたことを特徴とする請求項１に記載のケーブル用圧着端子。
【請求項３】
ケーブルを圧着して接続する圧着部を備えた圧着端子において、端子基板部と、圧着部とからなり、該圧着部の形状は丸形筒状または多角形筒状を有し、該圧着部の筒状を覆うように設けたつる巻バネに換えて、前記筒状の圧着部を巻回するようにＯリングを設けることによりケーブルと圧着端子を圧着係止できるようにしたことを特徴とする請求項１に記載のケーブル用圧着端子。
【請求項４】
ケーブルを圧着して接続する圧着部を備えた圧着端子において、端子基板部にケーブルの端部を持ち上げるようにできる切り起し片または突起部を形成したことを特徴とする請求項１〜請求項３のうちいずれか１項に記載のケーブル用圧着端子。
【請求項５】
ケーブルを突き合わせて接続する圧着接続子において、合わせ目に間隙を設けた圧着部を両端に形成し、該圧着部は丸形筒状または多角形筒状に形成し、両端から挿入するケーブルの挿入方向と同方向に前記筒状の合わせ目に間隙を設け、前記筒状の圧着部を覆うようにつる巻バネを設け、該つる巻バネの収縮力により圧着部の筒状を圧潰することによりケーブルと圧着接続子を圧着係止するようにしたことを特徴とするケーブル用圧着接続子。
【請求項６】
圧着部を覆うように設けたつる巻バネに換えて、板バネを丸めて円筒状にしたものを圧着部に巻回することにより、ケーブルと圧着接続子を圧着係止できるようにしたことを特徴とする請求項５に記載のケーブル用圧着接続子。
【請求項７】
圧着部を覆うように設けたつる巻バネに換えて、Ｏリングを圧着部に巻回することにより、ケーブルと圧着接続子を圧着係止できるようにしたことを特徴とする請求項５に記載のケーブル用圧着接続子。
【発明の詳細な説明】
【技術分野】
【０００１】
本発明は、ケーブルの先端部を圧着して電気的に導通されるケーブル用圧着端子及び圧着接続子の構造に関し、特に特殊な圧着工具を用いることなく圧着可能なケーブル用圧着端子及びケーブル用圧着接続子に関するものである。
【背景技術】
【０００２】
従来、圧着端子として、低電流が流れる電線を圧着して接続するバレル部を備えた圧着端子において、バレル部に電線の長さ方向とこれに直交する方向の両成分を有するセレーションを形成している圧着端子（例えば、特許文献１参照）が存在している。
【特許文献１】特開平１１−３７３３号公報（特許請求の範囲の欄、発明の詳細な説明の欄の｛発明の実施の態様｝における段落｛００１２｝〜｛００１６｝、及び図１〜図６を参照）
【発明の開示】
【発明が解決しようとする課題】
【０００３】
しかしながら、前記従来技術においては、特殊な圧着工具がないと作業ができないという問題があった。
本発明は、この事情に鑑み、簡単な構成で圧着状態を保持する収縮力を有する弾性部材を介することで圧着が確実な圧着部を有する圧着端子及び圧着接続子で、特殊な圧着工具を不要としたケーブル用圧着端子、ケーブル用圧着接続子を提供することを目的とするものである。
【課題を解決するための手段】
【０００４】
上記課題を解決するための本発明の第１発明は、請求項１に記載された通りのケーブル用圧着端子であり、次のようなものである。
ケーブルを圧着して接続する圧着部を備えた圧着端子において、端子基板部と、圧着部とからなり、該圧着部は丸形筒状または多角形筒状に形成し、ケーブル挿入方向と同方向に前記筒状の合わせ目に間隙を設け、前記筒状の圧着部を覆うようにつる巻バネを設け、該つる巻バネの収縮力により圧着部の筒状を圧潰することによりケーブルと圧着端子を圧着係止する構成である。
【０００５】
上記課題を解決するための本発明の第２発明は、請求項２に記載された通りのケーブル用圧着端子であり、次のようなものである。
請求項１記載の発明の加えて、ケーブルを圧着して接続する圧着部を備えた圧着端子において、端子基板部と、圧着部とからなり、該圧着部の形状は丸形筒状または多角形筒状を有し、該圧着部の筒状を覆うように設けたつる巻バネに換えて、板バネを丸めて円筒状にしたものを圧着部に巻回することによりケーブルと圧着端子を圧着係止できるようにする構成である。
【０００６】
上記課題を解決するための本発明の第３発明は、請求項３に記載された通りのケーブル用圧着端子であり、次のようなものである。
請求項１に記載の発明に加えて、ケーブルを圧着して接続する圧着部を備えた圧着端子において、端子基板部と、圧着部とからなり、該圧着部の形状は丸形筒状または多角形筒状を有し、該圧着部の筒状を覆うように設けたつる巻バネに換えて、前記筒状の圧着部を巻回するようにＯリングを設けることによりケーブルと圧着端子を圧着係止できるようにする構成である。
【０００７】
上記課題を解決するための本発明の第４発明は、請求項４に記載された通りのケーブル用圧着端子であり、次のようなものである。
請求項１〜請求項３のいずれか１項に記載の発明に加えて、ケーブルを圧着して接続する圧着部を備えた圧着端子において、端子基板部にケーブルの端部を持ち上げるようにできる切り起し片または突起部を形成する構成である。
【０００８】
上記課題を解決するための本発明の第５発明は、請求項５に記載された通りのケーブル用圧着接続子であり、次のようなものである。
ケーブルを突き合わせて接続する圧着接続子において、合わせ目に間隙を設けた圧着部を両端に形成し、該圧着部は丸形筒状または多角形筒状に形成し、両端から挿入するケーブルの挿入方向と同方向に前記筒状の合わせ目に間隙を設け、前記筒状の圧着部を覆うようにつる巻バネを設け、該つる巻バネの収縮力により圧着部の筒状を圧潰することによりケーブルと圧着接続子を圧着係止する構成である。
【０００９】
上記課題を解決するための本発明の第６発明は、請求項６に記載された通りのケーブル用圧着接続子であり、次のようなものである。
請求項５に記載の発明に加えて、圧着部を覆うように設けたつる巻バネに換えて、板バネを丸めて円筒状にしたものを圧着部に巻回することにより、ケーブルと圧着接続子を圧着係止できるようにする構成である。
【００１０】
上記課題を解決するための本発明の第７発明は、請求項７に記載された通りのケーブル用圧着接続子であり、次のようなものである。
請求項５に記載の発明に加えて、圧着部を覆うように設けたつる巻バネに換えて、Ｏリングを圧着部に巻回することにより、ケーブルと圧着接続子を圧着係止できるようにする構成である。
【発明の効果】
【００１１】
本発明に係るケーブル用圧着端子は、上記説明のような構成であるので、以下に記載する効果を奏する。
（１）請求項１〜請求項４に記載の発明においては、特殊な圧着工具を必要としないで簡易に圧着することができる。
（２）収縮力を有する弾性部材が圧着部を覆うように構成されているため、圧着後の状態を安定的に保持することができる。
（３）請求項４に記載の発明においては、切り起し片または突起部によりケーブル端部を押し上げたり、左右に振り分けたりされるので抜け難くなり、安定的に圧着できる。
【発明を実施するための最良の形態】
【００１２】
ケーブルを圧着して接続する圧着部を備えた圧着端子において、端子基板部と、圧着部とからなり、該圧着部は丸形筒状または多角形筒状に形成し、ケーブル挿入方向と同方向に前記筒状の合わせ目に隙間を設け、前記筒状の圧着部を覆うようにつる巻バネを設け、該つる巻バネの収縮力により圧着部の筒状を圧潰することによりケーブルと圧着端子を圧着係止するようにしたケーブル用圧着端子である。
【実施例】
【００１３】
図１に示すものは、本発明の第一実施例で、（Ａ）はケーブル端部をケーブル用圧着端子１に挿入する前の状態を示す斜視図、（Ｂ）はケーブル端部をケーブル圧着端子１に挿入して圧着した後の状態を示す斜視図である。
ケーブル９の端部を圧着して接続する圧着部３を備えた圧着端子において、端子基板部２と、圧着部３とからなり、該圧着部３の形状は板材を屈曲して、間隙４を形成しながら丸形筒状または多角形筒状（図示したものは丸形筒状のもの）を形成する。この間隙４はスパイラル状、曲線状（図示のもの）や直線状のものが考えられる。該筒状の圧着部３を覆うように圧縮つる巻バネ５を設け、筒状の圧着部３にケーブル９の端部を挿入してペンチ等で圧着し、圧着端子の圧着部３を間隙４をなくすように潰して圧着係止する。
【００１４】
先ず、圧着端子について図１、図２に基づいて説明すると、圧着部３を筒状に丸めた際、間隙４が形成されるように加工し、圧着部３に収縮つる巻バネ５を巻き付ける（図１参照）第一実施例と、収縮つる巻バネ５の両端部を圧着部３に形成した係止突起部７に係合係止（図２参照）する第二実施例である。
ケーブル９の端部が係合するように、端子基板部２の圧着部３に近い部分に切り起し片６を形成する。
この切り起し片６は、図１（Ｂ）でも理解できるように、ケーブル９の端部を圧着部３に挿入してさらに押し込むことで、ケーブル９の端部は切り起し片６を乗り越えるように折れ曲がり、圧着部３を圧潰することで間隙４が無くなるまで縮まり、さらに圧潰すると潰れてケーブル９の端部をしっかり圧着固定すると同時に切り起し片６の部分で折れ曲がったケーブル９の端部が圧着端子から抜けるのを防止する作用を奏するものである。
【００１５】
図２に示すものは、本発明の第二実施例としてのケーブル用圧着端子である。
この第二実施例は前記第一実施例との違いとして、圧着部３を覆うようにした収縮つる巻バネ５を係止するための係止突起部７を圧着部３の間隙４を挟んで設け、前記収縮つる巻バネ５の両端部を折り曲げて折り曲げ部８を形成し、この折り曲げ部８を係止突起部７に係合係止したものである。
また、切り起し片６に換えて、端子基板部２の裏面から押圧して表面側に突起部８を形成したものも設計変更として考えられる。
その他の構成は第一実施例と同一のため、詳細な説明は省略する。
【００１６】
図３に示すものは、本発明の第三実施例としてのケーブル用圧着端子である。
この第三実施例は、前記第一実施例との違いとして、圧着部３を覆うようにしたつる巻バネ５に換えて、長手方向に間隙１０を有する収縮性を持った、例えば板バネを丸めて円筒状にした圧着スリーブ１１を被せたものであり、その他の構成、作用は第一実施例と同一のため、詳細な説明は省略する。
また、前記圧着スリーブ１１に換えて、Ｏリング等、堅固な収縮力の強いゴム材のリング状のものを利用して圧着部を覆っても良い。
また、切り起し片６、突起部８に換えて、適宜長さの三角山形状を有する突起等、形状は種々考えられる。
【００１７】
以上、つる巻バネ５、圧着スリーブ１１等の収縮力を有する弾性部材で圧着部３を締め付ける作用が生じ、確実に強固にケーブル端部を圧着保持できるものである。
【００１８】
前記圧着端子の技術を利用して圧着接続子に応用したものとして、図示していないが、圧着部を両端に形成し、ケーブルを突き合わせて接続する圧着接続子において、合わせ目に間隙を設けた圧着部を両端に形成し、該圧着部は丸形筒状または多角形筒状に形成し、両端から挿入するケーブルの挿入方向と同方向に前記筒状の合わせ目に間隙を設け、前記筒状の圧着部を覆うようにつる巻バネを設け、該つる巻バネの収縮力により圧着部の筒状を圧潰することによりケーブルと圧着接続子を圧着係止するようにしたことを特徴とするケーブル用圧着接続子が考えられる。
また、前記の圧着接続子において、つる巻バネに換えて、板バネを丸めて円筒状にした圧着スリーブを圧着部に巻回するようにした圧着接続子も考えられる。
さらに同様に、つる巻バネに換えて、Ｏリングを圧着部に巻回するようにした圧着接続子も考えられる。
【産業上の利用可能性】
【００１９】
全ての圧着端子及び圧着接続子に利用することができる。
【図面の簡単な説明】
【００２０】
【図１】本発明の第一実施例であるケーブル用圧着端子を示すもので、（Ａ）はケーブル端部をケーブル用圧着端子１に挿入する前の状態を示す斜視図、（Ｂ）はケーブル端部をケーブル圧着端子１に挿入して圧着した後の状態を示す斜視図である。
【図２】本発明の特殊な圧着工具が必要のない第二実施例のケーブル用圧着端子を示すもので、（Ａ）はケーブル端部をケーブル用圧着端子１に挿入する前の状態を示す斜視図、（Ｂ）はケーブル端部をケーブル圧着端子１に挿入して圧着した後の状態を示す斜視図である。
【図３】本発明の特殊な圧着工具が必要のない第三実施例のケーブル用圧着端子を示すもので、（Ａ）はケーブル端部をケーブル用圧着端子１に挿入する前の状態を示す斜視図、（Ｂ）はケーブル端部をケーブル圧着端子１に挿入して圧着した後の状態を示す斜視図である。
【符号の説明】
【００２１】
１・・・・ケーブル用圧着端子              ２・・・・端子基板部
３・・・・圧着部                          ４・・・・間隙
５・・・・つる巻バネ                      ６・・・・切り起し片
７・・・・係止突起部                      ８・・・・突起部
９・・・・ケーブル                      １０・・・・間隙
１１・・・・圧着スリーブ
【図１】
2007287447.tif 000003
【図２】
2007287447.tif 000004
【図３】
2007287447.tif 000005